(57)【特許請求の範囲】
【請求項１】
金属からなる地表下に回転挿入のロープ係留フックにおいて、先鋭とした軸体下端部に螺旋板を固着し、地上部となる軸体頭部に回転器具装着の６角柱を設け、線材からなる上方に伸びる両腕に鉤を設けたフックを前記６角柱下方の軸体に固着し、このフック下方の前記軸体に、該軸体を移動可能なる貫通孔を設けた接地盤と該接地盤を地表に向けて付勢する圧縮バネとの付設を特徴とするロープ係留フック。
【請求項２】
請求項１に記載されたロープ係留フックにおいて、前記フックを、帯板材からなる平面中心に前記軸体頭部へ装着の孔を設け、この孔に近接して上方に伸びる両腕に鉤を設けたフックとすることを特徴とするロープ係留フック。
【請求項３】
樹脂成形からなる地表下に回転挿入のロープ係留フックにおいて、先鋭とした軸体下端部に螺旋板を固着し、地上部となる軸体上端面の中心に回転器具装着の６角孔を設け、該６角孔に近接の前記軸体に上方へ伸びる両腕に鉤を設けたフックを固着の構成形態からなる樹脂成形体の前記フック下方の軸体に、該軸体を移動可能なる貫通孔を設けた接地盤と該接地盤を地表に向けて付勢する圧縮バネとの付設を特徴とするロープ係留フック。
【請求項４】
請求項１から請求項３のいずれか１項に記載されたロープ係留フックにおいて、前記フックの片腕に鉤を2体併設することを特徴とするロープ係留フック。
【発明の詳細な説明】
【０００１】
【発明の属する技術分野】
本発明は、ロープをおよそ地表上で係留する、地表下に回転挿入のロープ係留フックに関する。
【０００２】
【従来の技術】
従来ロープやワイヤーロープ等を、およそ地表上での係留には、鉄製ぺグやワインの栓抜き状のもの、木ネジの拡大状のもの及びスクリュウアンカー等が用いられてきた、該鉄製ぺグは、下端を尖らせて頭部をリング状又は鉤状とした鉄製のくいを土中に打込み、該頭部にロープ等を係留して、テント張りや支柱の支持として通常的に用いられ、ワインの栓抜き状のフックは、例えば、実開平4-65053等の丸棒を螺旋状とした頭部に鉤又はリングを設けたもので、ビニールハウスのロープ係留、パイプ止やペット綱の係留等に用いられており、木ネジの拡大状のフックは、木ネジ状にして上部に鉤を設けた樹脂成形からなるもので、ペット綱の係留に用いられている。一方、スクリュウアンカーは、電柱支線の支持としては、例えば、実開平1-79628等の特殊な心棒に螺旋板を設け、この心棒にロッド(丸棒)下端を取付けて、特殊器具を用いて地表下へ回転挿入し、該ロッド頭部に取付けたシンブルに支線を取付けるものであり、養殖いかだの固定等には、例えば、実開昭64-635の数巻の螺旋板のみを、特殊な装置を用いて海底に捩じ込み、該上部にワイヤロープ等を取り付けて目的物を固定していた。
【０００３】
【発明が解決しようとする課題】
しかしながら、従来から使用されてきた鉄製ぺグの土中設置は、ハンマーによる打込みであり、手軽く作業容易ではあるが労力を要して特に軸心方向には抜け易く不安定であり、ワインの栓抜き状のフックは、締め固められた地盤では使用困難であり、木ネジの拡大状のフックは、逆円錐状であり特に軸心方向に抜け易く、該スクリュウアンカーは大型にして巨大な引張抵抗を目的としたもので、螺旋板の取付け部は複雑にして土中抵抗と費用の増大を要し、土中への回転挿入には、特殊な器具や大掛かりな設備を要するなど一般には手軽く容易に使用出来るものではなく、しかも、該鉄ピンや該スクリュウアンカー等の頭部のリング状又は鉤状からなるロープ等の係留部は、1ヶ所のため多方向からのロープ等の係留には不都合であった。また、従来軽易にして、フックの一部を地表に接地して水平移動の抑止や土中の転倒回転応力等の活用により引張抵抗を高めるフックはなく、ロープの付け外しを確実迅速とするフックもなかった。以上のような課題を本発明は解決しようとするものである。
【０００４】
【課題を解決するための手段】
本発明は、アウトドアでのテント張り、園芸等の棚の補強並びにペット綱の係留等、陸地における比較的小型のロープ係留フックであり、上記課題を解決するために以下の発明を提案する。請求項１の発明は、金属からなる軸体（丸棒又は６角棒）下端を先鋭とし、前記先鋭部に近接して螺旋板を固着し、地上部となる軸体頭部に回転器具（電動インパクトドリル、手回し器具等）装着容易な６角柱を形成して、この下方には、線材からなる上方に伸びる両腕に鉤を設けた逆Ω状のフックを固着し、該フック下方の軸体にゆとりの貫通孔を設けた軸体を移動可能な接地盤と該接地盤を地表に向けて付勢する圧縮バネとを付設したロープ係留フックである。
【０００５】
請求項２の発明は、請求項１に記載されたロープ係留フックにおいて、前記フックを、帯板材からなる平面中心に前記軸体頭部へ装着の孔を設け、この孔に近接して上方に伸びる両腕に鉤を設けたフックとすることを特徴とするロープ係留フックである。このフックを帯板材からなる翼状のフックとしたことにより手回し回転も容易となる。なお前記フックを円盤外周に、鉤を設けた片腕翼状の部材複数体を等間隔に周設のフックとしてもよい。
【０００６】
請求項３の発明は、樹脂成形からなる地表下に回転挿入のロープ係留フックにおいて、先鋭とした軸体下端部に螺旋板を固着し、地上部となる軸体上端面の中心に回転器具装着の６角孔を設け、該６角孔に近接の前記軸体に上方へ伸びる両腕に鉤を設けたフックを固着の構成形態からなる樹脂成形体の前記フック下方の軸体に、該軸体を移動可能なる貫通孔を設けた接地盤と該接地盤を地表に向けて付勢する圧縮バネとを付設したロープ係留フックである。上記樹脂成形としたことにより、軽量、低廉にして持運び軽易、安全となる。
【０００７】
このような構成により、回転器具の小型動力又は手回しによる 地表下への回転挿入が手軽く極めて容易となり、土質の使用範囲を広めて土中から抜け難く、多方向からのロープの係留容易となる。  ここで、前記フック下に軸体を移動可能にして地表面を押圧の接地盤を付設することにより、ロープに掛る斜め引張荷重に対する前記接地盤及び螺旋板の地盤応力の作用を図10に基づいて概説すれば、前記ロープ係留フックを土中に回転挿入と同時に、接地盤５は、フック下端の押圧荷重Ｗで土中にめり込み、この圧密作用により螺旋板2と接地盤5とが緊張状態となり、フックに仰角α度のロープ7よりＱなる引張荷重（斜め引張荷重）が負荷された場合、水平応力qh（Ｑcosα）は、螺旋板２のＡ点を支点とした転倒回転応力qh′として接地盤5に働くが、土中にめり込んだ前記接地盤５は、浮上力等地盤反力による阻止作用により、逆にこの接地盤５のＢ点が支点となって螺旋板2に転倒回転応力qh″が働くこととなり、螺旋板2及び接地盤5並びに軸体1に働く転倒回転応力が回転方向の地盤の押圧を図ることで、前記接地盤と螺旋板の中間地盤における摩擦応力、支持応力等の抵抗応力を高める相乗効果により、軸体方向に働く垂直応力qv（Qsinα）に対してロープ７を強力に支持することとなる。
【０００８】
また、盛土等の比較的軟弱な地盤において、前記垂直応力qvに対して螺旋板2による土中圧密等で軸体1が浮上の場合、前記フック3-1と接地盤５との中間の軸体1に、接地盤５の接地効果を奏する（接地盤５を地表Gに向けて付勢する）圧縮バネを付設することで、前記螺旋板2と接地盤5の緊張を維持して、前記地盤応力による引張抵抗を高める効果が保持される。なお接地盤5は前記斜め引張荷重Ｑにより、ゆとりの貫通孔5aの対角2点で軸体1に摩擦固定される。そして、接地盤５は、地表部の圧密に合せ、フック及び軸体頭部の土中への入り込み防止、回転器具等の回転部の土防塵対策やフック位置の視認性を高める等、作業の迅速性や回転器具の保安確保等を図る機能を奏する。
【０００９】
請求項４の発明は、請求項１から請求項３のいずれか１項に記載されたロープ係留フックにおいて、前記フックの片腕に鉤を2体併設したロープ係留フックである。  図２、図８のように１巻半程度の螺旋状からなる（渦巻状としても同機能となる）鉤４を２体併設とし、あるいは、図９のように鉤４を２体直角に併設するなど、片腕に鉤４を２体併設することで、ロープをフックに係留の場合、結び付け確実迅速にして解き外しも極めて容易となる。
なお、前記それぞれのフックを弾性体とした場合、図７及び図8の使用例のように、ロープ7の引張荷重でフックが撓み、この復元力でロープ7に緩みが生じてもロープ7を張った状態に維持して緩み防止が図られる。
【００１０】
【発明の実施の形態】
図1は本発明の第1実施形態の概略構成を示す一部切欠正面図及び一部左側面図である。この図において第1実施形態は鋼材からなる丸棒の軸体1の先鋭とした 軸体下端部１ａに軸体1外径余の板幅を有して螺入先鋭利とした螺旋板2を1回り余固着し、軸体頭部1ｂを回転器具装着の中央部にボール溝を設けた６角柱1b′を形成して、この下方の軸体1には、線材からなる上方に伸びる両腕を半ば開いた両端にそれぞれ１巻程度の螺旋状の鉤4を形成した逆Ω状のフック３-1を左右ほぼ対称に下部屈曲部を固着し、該フック３-1下方の軸体1に後述の図２、図4に示すように圧縮バネS（図１不記）と中心に軸体1を移動可能なゆとりの貫通孔5aを設けた座金状にして地表Gに接地の接地盤5を付設のロープ係留フックとする。
【００１１】
第１実施形態では螺入深さを確保して土中の引張抵抗を高めるためフック３-1下端を６角柱1b′下端近似での固着としており、前記上方に伸びる両腕はV状（図１図示）、Ｕ状、翼状等であり、前記軸体1には、６角棒を用いてもよく、フック３-1は、軸体1に対して前後に多少の傾斜取付けとしても、フック３-1と螺旋板2とは軸体1の各々設定部位において周方向に如何なる位置付けとしても機能上支障はない。さらに、フック３-1には、図2、図８例示のようにロープのフックへの結び付け確実迅速にして解き外し容易とする螺旋状の鉤４を１巻半程度として片腕に鉤４が２体併設の構成としてもよく、図７、図８例示のようにバネの復元力でロープ７の緩みを防止するためのフック３-1に弾性効果を奏するバネ材を用いてもよい。  ここで、前記接地盤5は、中心に軸体1を移動可能なゆとりの貫通孔5aを設けた座金状、笠状、皿状、放射状等の構成形態にして、金属プレス加工又は鋳物や樹脂成形からなるものである。
そして、前記回転器具は、電動、エアー等の動力回転器具及び手回し回転器具である。
【００１２】
図２は本発明の第２実施形態の概略構成を示す一部切欠正面図及び一部左側面図である。この図において第２実施形態は金属からなる丸棒の軸体1の先鋭とした 軸体下端部1ａに軸体1外径余の板幅を有し螺入先鋭利とした螺旋板2を1回り程度固着し、軸体頭部1ｂを回転器具の取付け容易となる中央部にボール溝を設けた６角柱1b′を形成して、この下方の軸体1には、線材からなる両腕を半ば閉じたU字状の両端にそれぞれ１巻半程度の螺旋状の２体併設となる鉤4を形成したフック３-1を固着し、さらに該フック３-1下方の軸体1に笠状の中心に軸体1を移動可能なゆとりの貫通孔5aを設けたアルミ鋳物からなる地表Gに接地の接地盤5と該上部に貫通孔5a内径余のコイル状の圧縮バネSを備えているロープ係留フックとする。
【００１３】
この第２実施形態では、回転器具の着脱を容易とするようにフック３-1の上端と６角柱1b′下端を概ね同位として軸体1外径程度背後に傾斜した形態にしている（図２図示）。なお取出し時にフック間の絡まりが少ない両腕を半ば閉じたフック３-1は弾性効果を奏するバネ材を用いてもよく、鉤4の２体併設は図９例示のようにしてもよく、前記圧縮バネSはコイルバネ、竹の子バネ、薄板バネなどから選択できる。
【００１４】
図３は本発明の第３実施形態の概略構成を示す一部切欠斜視図である。この図において第３実施形態は、金属からなる丸棒の軸体1の先鋭とした 軸体下端部1ａに軸体1外径程度の板幅を有し螺入先鋭利とした螺旋板2を1回り余固着し、軸体頭部1ｂを６角柱1b′形成として、この下方には、帯板材からなる両腕端に鉤４を形成して平面中心に前記軸体頭部1ｂへ装着の孔3cを設け、この孔3cに近接して地表Gに接地の接地部3a′を有した翼状にして地表Ｇ下への捩じ込みは、二人での回転挿入可能にして９０゜ごとの手回し回転容易となるフック３-2を２体十字状として軸体1に直交して固着のロープ係留フックとする。なお、フック３-2下方の軸体1には前記圧縮バネS及び接地盤5を付設（図３不記）する。
【００１５】
図４は本発明の第４実施形態の概略構成を示す一部切欠斜視図である。この図において第４実施形態は、金属からなる丸棒の軸体1の先鋭とした 軸体下端部1ａに軸体1外径余の板幅を有し螺入先鋭利とした螺旋板2を1回り程度固着し、軸体頭部1ｂを回転器具装着の６角柱1b′形成として、この下方には、帯板材からなる平面中心に軸体頭部1ｂへ装着の孔3cを設け、両腕端に鉤４を形成した翼状にして手回し可能となるフック３-2を軸体1に直交して固着し、このフック３-2下方の軸体1に、軸体１を滑動のコイル状の圧縮バネS及び前記座金状の接地盤5を付設のロープ係留フックとする。なお、このフック３-2には、弾性効果を奏するバネ材を用いてもよい。
【００１６】
図５は本発明の第５実施形態の概略構成を示す一部切欠斜視図である。この図において第５実施形態は、丸鋼からなる軸体1の先鋭とした 軸体下端部1ａに軸体1外径余の板幅を有し螺入先鋭利とした螺旋板2を1回り余固着し、軸体頭部1ｂを回転器具装着の中央部にボール溝を形成の６角柱1b′として、この６角柱1b′下方には、中心に軸体頭部1ｂヘ装着の孔3cを設けた円盤3a外周に、先端にロープの落下し難いヘアピン状の鉤４を形成した片腕翼状にして手回し可能となる部材３bを等間隔に４体周設のフック３-3を前記軸体1に直交して固着のロープ係留フックとする。なお、フック３-3下方の軸体1に前記圧縮バネS及び接地盤5を付設（図５不記）し、前記片腕翼状部材３bには、弾性効果を奏する帯板材又は線材からなるバネ材を用いてもよく、前記フック３-3は片腕翼状部材３bを等間隔に２体とした構成からなる鋳物や樹脂成形としてもよい。
【００１７】
図６は本発明の第６実施形態の概略構成を示す一部切欠斜視図である。この図において第６実施形態は靭性を有する樹脂成形からなり、軸体1の先鋭とした 軸体下端部1ａには、螺入先狭幅鋭利にして軸体1外径程度まで暫増幅となる螺旋板2を２回り程度設け、この軸体１上端には、地表Gに接地の接地部3a′となる平面中心に回転器具の６角柱装着用の６角孔3dを設け、翼状の腕を補強の補強板６を有して両端に鉤４を形成の手回し回転具を兼ねる前記翼状のフック  ３-4を、軸体1に直交して固着の構成形態とした樹脂成形からなる該樹脂成形体のフック３-４下方の軸体1に軸体１を滑動の前記圧縮バネS（図６不記）及び接地盤5（図６不記）を付設のロープ係留フックとする。なお、フック３-4を、弾性効果を有する樹脂成形とし、又は板バネ装着とした弾性効果を奏するフック３-4としてもよく、前記樹脂成形は、一体成形又は分割成形として組立固着としてもよい。
【００１８】
本発明のロープ係留フックは、前述の実施形態で説明の内容に限定するものではなく、本出願の基本構成に基づき、使用目的や土質等に応じて軸体1の材質や寸法及び螺旋板2の材質、寸法や巻数、刃先形態、取付け角度等を設定すればよく、前記各フックにおいても使用目的に応じて材質、寸法、弾性の可否や鉤４の位置、形状及び軸体1への取付け方等を設定し、 接地盤5も土質、使用目的に応じて、形状、材質等を選択すればよい。なお、フックと接地盤5との中間に備える圧縮バネSも土質、使用目的に応じて、強度、材質、形状等を選択すればよく、片腕に鉤４を２体併設の場合も使用目的に応じて様々な構成形態の２体併設とすればよい。
【００１９】
【発明の効果】
本発明に係る軸体下端部の螺旋盤と、軸体頭部のフックと、この下方に付設の圧縮バネと接地盤との構成による金属及び樹脂からなる土中に回転挿入のロープ係留フックは、
１．軸体のフック下方に接地盤を地表に向けて付勢する圧縮バネと接地盤を備えたことで、ロープの斜め引張荷重により軸体が浮上した場合でも接地盤は該圧縮バネにより 地表への押圧接地が確保され、ロープの斜め引張荷重に対しては、螺旋板と接地盤との相乗作用により、フックの水平移動を抑止すると同時に、土中での転倒回転応力により引張抵抗を高める。なお該接地盤は地表を強く押圧して軸体周囲の表土の圧密、軸体頭部の土中への入り込みを防止、動力回転器具回転部の土防塵対策、フック位置の視認性の向上等の作用効果を奏する。
２．軸体下端部に螺旋板を設けることで、上記１．の機能に加え 地表下への回転挿入を容易とする。
３．両腕に鉤を形成のフックを備えたことにより、フック下端（裏面）で接地盤を地表に強く押圧して表土の圧密作用に合せ、複数の鉤を有したロープ係留フックとなり、多方向からのロープの係留容易となる。
本願発明の基本構成により以上の効果を奏するものであるが、さらに請求項ごとの効果を列挙する。
【００２０】
本発明の請求項１の軸体頭部を６角柱とした場合には、回転器具の取付け容易にして作業効率を高め、該６角柱下方に固着の線材からなる上方に伸びる両腕に鉤を設けた逆Ω状のフックでは、ロープに両腕でぶら下る形態となり、ロープの引張荷重はフックから軸体1に無理なく伝達されることにより、固着部への捩れや梃子作用による負荷を減少させる。
【００２１】
本発明の請求項２では、両腕に鉤を形成の帯板材からなる翼状のフックを軸体に直交して固着することにより、動力回転器具と手回しの回転挿入が手軽く出来、特に手回し回転では回転器具を用いずに容易となる。
【００２２】
本発明の請求項３では、軸体上端面中心に設けた６角孔は６角柱を用いた回転器具の使用や旗竿の装着を容易とし、樹脂成形としたので両腕を有したフックは両手による握り締め安全にして土中へ捩じ込み易く、軽量にして持ち運び軽易となり加えて低廉となるなどの効果を奏する。
【００２３】
本発明の請求項４のフックの片腕に鉤を２体併設した場合には、ロープ等のフックへの係留において、結び付け確実迅速にして解き外しも容易となる。
本願発明は以上のような効果を奏するものである。
【００２４】
【図面の簡単な説明】
【図1 】  本発明の第1実施形態の概略構成を示す一部切欠正面図及び一部左側面図である。
【図２】  本発明の第２実施形態の概略構成を示す一部切欠正面図及び一部左側面図である。
【図３】  本発明の第３実施形態の概略構成を示す一部切欠斜視図である。
【図４】  本発明の第４実施形態の概略構成を示す一部切欠斜視図である。
【図５】  本発明の第５実施形態の概略構成を示す一部切欠斜視図である。
【図６】  本発明の第６実施形態の概略構成を示す一部切欠斜視図である。
【図７】  本発明のフックをバネ材からなるフックとした第１実施形態の使用例の概略構成を示す一部正面図である。
【図８】  本発明のフックをバネ材からなるフックとした第２実施形態の使用例の概略構成を示す一部正面図（片腕に鉤４を螺旋状からなる２体併設としたフックの使用例の概略構成を示す一部正面図を兼ねる。）、及び、この片腕に鉤４を２体併設のフックの使用例の一例を示す一部拡大斜視図である。
【図９】  本発明のフックの片腕に鉤４を２体直角に併設とした実施例の概略構成を示す一部斜視図である。
【図１０】  本発明のロープに掛る斜め引張荷重に対する接地盤及び螺旋板の地盤応力を示す概略図である。
【符号の説明】
１          軸体
１ｂ′      ６角柱
２          螺旋板
3-1〜3-4    フック
3d          ６角孔
４          鉤
５          接地盤
Ｓ          圧縮バネ
【図１】
0003894818.tif 000002
【図２】
0003894818.tif 000003
【図３】
0003894818.tif 000004
【図４】
0003894818.tif 000005
【図５】
0003894818.tif 000006
【図６】
0003894818.tif 000007
【図７】
0003894818.tif 000008
【図８】
0003894818.tif 000009
【図９】
0003894818.tif 000010
【図１０】
0003894818.tif 000011